(57)【要約】【課題】ペンダント、ストラップ、指輪として携帯することができる小容量ボトルを提供する【解決手段】ハート型の収容部１２の周辺にプレート状のコンプレッションゾーン１３を備え、このコンプレッションゾーン１３にはハート型の貫通孔１４が形成され、コンプレッションゾーン１３の周縁部には、口部１５と連通した通路空間１６が形成された小容量ボトル１１をダイレクトブロー成形によって製造する。コンプレッションゾーン１３は、収容部１２に対して口部１５と反対側にも形成され、通路空間１６は、口部１５から伸びてコンプレッションゾーン１３の周縁部を取り巻いて再び口部１５に至るループ状通路となる様に形成されると共に、収容部１２に対して２箇所で連通される。【選択図】  図２
2010201793.tif 000002
【特許請求の範囲】
【請求項１】
ブロー成形によって製造され、内容物を出し入れする口部に着脱可能なキャップを装着される小容量ボトルの製造方法であって、以下の構成からなる金型を用いることを特徴とする小容量ボトルの製造方法。
（１）内容物を収容するための収容部を形成する収容部形成部に連続してパリソンを押し潰すコンプレッションゾーン形成部を備えたキャビティ形状の金型を用いること。
（２）前記金型のコンプレッションゾーン形成部には、押し潰されたパリソンの全部又は一部を食い切って貫通孔を形成するための食い切り部が形成されていること。
【請求項２】
前記金型が、さらに、以下の構成をも備えていることを特徴とする請求項１記載の小容量ボトルの製造方法。
（３）前記コンプレッションゾーン形成部は、前記収容部形成部と前記口部を形成するための口形成部との間にコンプレッションゾーンを形成する様に構成されていること。
（４）前記コンプレッションゾーン形成部の周縁には、前記口形成部と連通すると共に、前記収容部形成部とも連通する通路空間を形成するための通路空間形成部が備えられていること。
【請求項３】
前記金型が、さらに、以下の構成をも備えていることを特徴とする請求項２記載の小容量ボトルの製造方法。
（５）前記コンプレッションゾーン形成部が、さらに、前記収容部形成部に対して前記口形成部の反対側にもコンプレッションゾーンを形成する様に構成されていること。
（６）前記通路空間形成部は、前記口形成部から伸びて前記コンプレッションゾーンの周縁部を取り巻いて再び前記口形成部に至るループ状通路となる様に形成されると共に、前記収容部形成部に対して複数箇所で連通される様に構成されていること。
【請求項４】
前記金型が、さらに、以下の構成をも備えていることを特徴とする請求項１記載の小容量ボトルの製造方法。
（７）前記金型が、前記コンプレッションゾーンを前記収容部形成部に対して前記口形成部と反対側にのみ形成するコンプレッションゾーン形成部を備えるとと共に、前記収容部形成部を複数個連通した状態で、かつ、最上部の収容部形成部が前記口形成部と連通された状態となる形状のキャビティを備えたものであること。
【請求項５】
前記金型が、さらに、以下の構成をも備えていることを特徴とする請求項１記載の小容量ボトルの製造方法。
（８）前記コンプレッションゾーン形成部の周縁を取り囲む様にリング状空間として前記収容部形成部を形成し、該リング状空間の上端が前記口形成部と直接連通するキャビティ形状となっていること。
（９）前記食い切り部は、前記コンプレッションゾーン形成部の外周に沿って形成されていること。
【請求項６】
ブロー成形によって製造され、内容物を出し入れする口部に着脱可能なキャップを装着される小容量ボトルであって、以下の構成を備えていることを特徴とする小容量ボトル。
（１１）内容物を収容するための収容部の周辺にパリソンが押し潰されて形成されたプレート状のコンプレッションゾーンを備えていること。
（１２）前記コンプレッションゾーンには貫通孔が形成されていること。
【請求項７】
さらに、以下の構成をも備えていることを特徴とする請求項６記載の小容量ボトル。
（１３）前記コンプレッションゾーンの周縁部には、前記口部と連通した通路空間が形成されていること。
（１４）前記通路空間と前記収容部とが連通されていること。
【請求項８】
さらに、以下の構成をも備えていることを特徴とする請求項７記載の小容量ボトル。
（１５）前記通路空間は、前記口部から伸びて前記コンプレッションゾーンの周縁部を取り巻いて再び前記口部に至るループ状通路となる様に形成されると共に、前記収容部に対して複数箇所で連通される様に構成されていること。
【請求項９】
さらに、以下の構成をも備えていることを特徴とする請求項６記載の小容量ボトル。
（１６）前記コンプレッションゾーンには、前記収容部が複数形成されていること。
（１７）前記複数の収容部は互いに連通しており、かつ、最上部の収容部は、前記口部と直接連通されていること。
【請求項１０】
ブロー成形によって製造され、内容物を出し入れする口部に着脱可能なキャップを装着される小容量ボトルであって、以下の構成を備えていることを特徴とする小容量ボトル。
（１８）内容物を収容するための収容部が、前記口部と連通するリング状空間によってに構成され、該リング状空間の内側は貫通されていること。
【発明の詳細な説明】
【技術分野】
【０００１】
本発明は、粉体や液体等を収納して用いることのできる小容量のボトルに係り、特に、装飾性に優れ、携帯に便利な小容量ボトルに関するものである。
【背景技術】
【０００２】
従来、試供品を提供する小容量の容器に関し、種々の提案がなされている（図１７参照）。これらは、サンプルボックス、台紙、冊子、郵便物等に試供品容器を嵌め込む方法を提案するもの（特許文献１〜７）、商品と共に包装する方法を提案するもの（特許文献８）、単体としての容器を提案するもの（特許文献９，１０）である。
【特許文献１】実開平６−１４０６９号（図１）
【特許文献２】特開２００１−１４６２５９号（図１）
【特許文献３】実開平７−１３７５９号（図１）
【特許文献４】特表２００４−５１９３９０（図４）
【特許文献５】特開平１０−２３６５３０号（図２，図３）
【特許文献６】特開２００１−５８６７２（図２，図９）
【特許文献７】特開平９−２２６８３０（図１）
【特許文献８】実用新案登録第３０４７７３７号（図１）
【特許文献９】特開平７−３０９３７０号（図１）
【特許文献１０】特表平８−５０７２３１号（図１）
【発明の概要】
【発明が解決しようとする課題】
【０００３】
従来のこれら小容量の容器の多くは使い捨てのもので無駄が多かった。
【０００４】
使い捨てではないタイプのものは、容器が小型であるが故に紛失し易く、その結果、再びサンプルボックスや台紙にはめ直すといった方法で保管する必要があった。
【０００５】
そこで、本発明は、試供品等の提供に適する小容量ボトルであって、携帯に便利で、紛失し難い携帯方法をとることができる小容量ボトルを提供することを目的とする。
【課題を解決するための手段】
【０００６】
上記目的を達成するためになされた本発明の小容量ボトルの製造方法は、ブロー成形によって製造され、内容物を出し入れする口部に着脱可能なキャップを装着される小容量ボトルの製造方法であって、以下の構成からなる金型を用いることを特徴とする。
（１）内容物を収容するための収容部を形成する収容部形成部に連続してパリソンを押し潰すコンプレッションゾーン形成部を備えたキャビティ形状の金型を用いること。
（２）前記金型のコンプレッションゾーン形成部には、押し潰されたパリソンの全部又は一部を食い切って貫通孔を形成するための食い切り部が形成されていること。
【０００７】
本発明は、課題解決手段として、前記金型が、さらに、以下の構成をも備えていることを特徴とする小容量ボトルの製造方法も提案する。
（３）前記コンプレッションゾーン形成部は、前記収容部形成部と前記口部を形成するための口形成部との間にコンプレッションゾーンを形成する様に構成されていること。
（４）前記コンプレッションゾーン形成部の周縁には、前記口形成部と連通すると共に、前記収容部形成部とも連通する通路空間を形成するための通路空間形成部が備えられていること。
【０００８】
本発明は、課題解決手段として、前記（１）〜（４）の構成をも備えた金型が、さらに、以下の構成をも備えていることを特徴とする小容量ボトルの製造方法も提案する。
（５）前記コンプレッションゾーン形成部が、さらに、前記収容部形成部に対して前記口形成部の反対側にもコンプレッションゾーンを形成する様に構成されていること。
（６）前記通路空間形成部は、前記口形成部から伸びて前記コンプレッションゾーンの周縁部を取り巻いて再び前記口形成部に至るループ状通路となる様に形成されると共に、前記収容部形成部に対して複数箇所で連通される様に構成されていること。
【０００９】
また、本発明は、課題解決手段として、前記（１）、（２）の構成を備えた金型が、さらに、以下の構成をも備えていることを特徴とする小容量ボトルの製造方法も提案する。
（７）前記金型が、前記コンプレッションゾーンを前記収容部形成部に対して前記口形成部と反対側にのみ形成するコンプレッションゾーン形成部を備えるとと共に、前記収容部形成部を複数個連通した状態で、かつ、最上部の収容部形成部が前記口形成部と連通された状態となる形状のキャビティを備えたものであること。
【００１０】
さらに、本発明は、課題解決手段として、前記（１）、（２）の構成を備えた金型が、さらに、以下の構成をも備えていることを特徴とする小容量ボトルの製造方法も提案する。
（８）前記コンプレッションゾーン形成部の周縁を取り囲む様にリング状空間として前記収容部形成部を形成し、該リング状空間の上端が前記口形成部と直接連通するキャビティ形状となっていること。
（９）前記食い切り部は、前記コンプレッションゾーン形成部の外周に沿って形成されていること。
【００１１】
上記目的を達成するためになされた本発明の小容量ボトルは、ブロー成形によって製造され、内容物を出し入れする口部に着脱可能なキャップを装着される小容量ボトルであって、以下の構成を備えていることを特徴とする。
（１１）内容物を収容するための収容部の周辺にパリソンが押し潰されて形成されたプレート状のコンプレッションゾーンを備えていること。
（１２）前記コンプレッションゾーンには貫通孔が形成されていること。
【００１２】
本発明は、課題解決手段として、前記（１１）、（１２）の構成に加えて、さらに、以下の構成をも備えていることを特徴とする小容量ボトルも提案する。
（１３）前記コンプレッションゾーンの周縁部には、前記口部と連通した通路空間が形成されていること。
（１４）前記通路空間と前記収容部とが連通されていること。
【００１３】
本発明は、課題解決手段として、前記（１１）〜（１４）の構成に加えて、さらに、以下の構成をも備えていることを特徴とする小容量ボトルも提案する。
（１５）前記通路空間は、前記口部から伸びて前記コンプレッションゾーンの周縁部を取り巻いて再び前記口部に至るループ状通路となる様に形成されると共に、前記収容部に対して複数箇所で連通される様に構成されていること。
【００１４】
また、本発明は、課題解決手段として、前記（１１）、（１２）の構成に加えて、さらに、以下の構成をも備えていることを特徴とする小容量ボトルも提案する。
（１６）前記コンプレッションゾーンには、前記収容部が複数形成されていること。
（１７）前記複数の収容部は互いに連通しており、かつ、最上部の収容部は、前記口部と直接連通されていること。
【００１５】
さらに、本発明は、課題解決手段として、前記（１１）、（１２）の構成に加えて、さらに、以下の構成をも備えていることを特徴とする小容量ボトルも提案する。
（１８）内容物を収容するための収容部が、前記口部と連通するリング状空間によってに構成され、該リング状空間の内側は貫通されていること。
【発明の効果】
【００１６】
本発明による小容量ボトルは、コンプレッションゾーンの貫通孔やリング状空間の内側の貫通孔にチェーン等を装着してペンダントとしたり、ストラップとしたり、また、リング状空間の貫通孔に指を通して指輪の如く携帯することができ、携帯に便利で、紛失し難いものとなる。
【図面の簡単な説明】
【００１７】
【図１】実施例１の金型の平面図である。
【図２】実施例１の小容量ボトルを示し、（Ａ）は平面図、（Ｂ）は正面図、（Ｃ）右側面図、（Ｄ）は底面図、（Ｅ）はａ−ａ断面図である。
【図３】実施例１の小容量ボトルの具体的成形例を示し、（Ａ）は平面図、（Ｂ）は正面図、（Ｃ）は右側面図、（Ｄ）は底面図である。
【図４】実施例１の小容量ボトルの具体的成形例においてキャップを装着した状態を示し、（Ａ）は平面図、（Ｂ）は正面図、（Ｃ）は右側面図、（Ｄ）は底面図である。
【図５】実施例２の金型の平面図である。
【図６】実施例２の小容量ボトルの具体的成形例を示し、（Ａ）は平面図、（Ｂ）は正面図、（Ｃ）は右側面図、（Ｄ）は底面図である。
【図７】実施例２の小容量ボトルの具体的成形例においてキャップを装着した状態を示し、（Ａ）は平面図、（Ｂ）は正面図、（Ｃ）は右側面図、（Ｄ）は底面図である。
【図８】実施例３の金型の平面図である。
【図９】実施例３の小容量ボトルを示し、（Ａ）は平面図、（Ｂ）は正面図、（Ｃ）右側面図、（Ｄ）は底面図、（Ｅ）はｂ−ｂ断面図である。
【図１０】実施例１の小容量ボトルの具体的成形例を示し、（Ａ）は平面図、（Ｂ）は正面図、（Ｃ）は右側面図、（Ｄ）は底面図である。
【図１１】実施例４の金型の平面図である。
【図１２】実施例４の小容量ボトルの具体的成形例を示し、（Ａ）は平面図、（Ｂ）は正面図、（Ｃ）は右側面図、（Ｄ）は底面図である。
【図１３】実施例５の斜視図である。
【図１４】実施例６の斜視図である。
【図１５】実施例７の斜視図である。
【図１６】実施例８の斜視図である。
【図１７】従来例の説明図である。
【発明を実施するための形態】
【００１８】
以下に、本発明を実施するための形態を、いくつかの実施例に基づいて説明する。
【実施例１】
【００１９】
図１に金型の一例を示す。この金型１は、内容物を収容するためのハート型の収容部形成部２に連続してパリソンを押し潰すコンプレッションゾーン形成部３を備えている。図において、斜線で示したのがコンプレッションゾーン形成部３である。また、コンプレッションゾーン形成部３には、押し潰されたパリソンの一部を食い切って貫通孔を形成するための食い切り部４が形成されている。図において黒く塗り潰して示したのが食い切り部４である。実際には、この食い切り部４は、外周が刃で構成され、刃の内側はパリソンの肉が逃げることができる空間となっている。
【００２０】
また、図示の様に、この金型１では、コンプレッションゾーン形成部３が、収容部形成部２と口形成部５との間にコンプレッションゾーンを形成する様に構成されると共に、収容部形成部２に対して口形成部５の反対側にもコンプレッションゾーンを形成する様に構成されている。そして、コンプレッションゾーン形成部３の周縁には、口形成部５と連通すると共に収容部形成部２とも連通する通路空間を形成するための通路空間形成部６が備えられている。この通路空間形成部６は、口形成部５から伸びてコンプレッションゾーンの周縁部を取り巻いて再び口形成部５に至るループ状通路となる様に形成されると共に、収容部形成部２に対して２箇所で連通される様に構成されている。
【００２１】
この金型１を用いてダイレクトブロー成形を実施することにより、図２に示す様な小容量ボトル１１を製造することができる。即ち、図示の様に、ハート型の収容部１２の周辺にプレート状のコンプレッションゾーン１３を備え、このコンプレッションゾーン１３にはハート型の貫通孔１４が形成され、コンプレッションゾーン１３の周縁部には、口部１５と連通した通路空間１６が形成された小容量ボトル１１が製造される。ここで、コンプレッションゾーン１３には、模様としてハートが表現される。これは、金型のコンプレッションゾーン形成部３に転写模様としてハートを表現する様な表面窪みが形成されているためである。なお、コンプレッションゾーン１３は、収容部１２に対して口部１５と反対側にも形成され、通路空間１６は、口部１５から伸びてコンプレッションゾーン１３の周縁部を取り巻いて再び口部１５に至るループ状通路となる様に形成されると共に、収容部１２に対して２箇所で連通される。このループ状の通路空間１６により、内部の空気の逃げが可能となり、口部１５から離れた位置にある収容部１２に対して液体等を注入する際の作業がスムーズになる。
【００２２】
図３は、実施例１の小容量ボトルの具体的な成形例における平面図、正面図、底面図、右側面図を示している。図４は、そのキャップを装着状態を示している。なお、いずれの図においても、背面図は正面図と対称に表れ、左側面図は右側面図と対称に表れる。また、この具体的な成形例では、右下のみ貫通孔が形成された状態となっているが、図２の正面図に示した残りの３ヶ所もほぼ切り抜かれた状態になっているので、ピンセット等で押して貫通孔にすることができる。
【実施例２】
【００２３】
図５に金型の他の例を示す。この金型２１は、内容物を収容するためのハート型で互いに連通し合う５個の収容部形成部２２ａ〜２２ｅを備えている。最上部の収容部形成部２２ａが口形成部２５に直接連通している。この金型２１では、これら収容部形成部２２ａ〜２２ｅに対して、口形成部２５と反対側にのみコンプレッションゾーン形成部２３を備えている。図において、斜線で示したのがコンプレッションゾーン形成部２３である。また、コンプレッションゾーン形成部２３には、押し潰されたパリソンの一部を食い切って貫通孔を形成するための食い切り部２４が形成されている。図において黒く塗り潰して示したのが食い切り部２４である。実際には、この食い切り部２４は、外周が刃で構成され、刃の内側はパリソンの肉が逃げることができる空間となっている。
【００２４】
図６は、実施例２の小容量ボトルの具体的な成形例における平面図、正面図、底面図、右側面図を示している。図７は、そのキャップを装着状態を示している。なお、いずれの図においても、背面図は正面図と対称に表れ、左側面図は右側面図と対称に表れる。
【実施例３】
【００２５】
図８の金型３１は、内容物を収容するためのリング状の収容部形成部３２の内側周辺をパリソンを押し潰すコンプレッションゾーン形成部３３としている。黒く塗り潰した部分である。リング状の収容部３２は、口形成部３５と直接連通している。また、コンプレッションゾーン形成部２３の外周には食い切り刃が形成されている。従って、この金型２１では、コンプレッションゾーン形成部２３によって押し潰された部分がそのまま切り取られた状態の成形品を製造することができる。この金型３１では、コンプレッションゾーン形成部３３の全体が食い切り部３４となっている。
【００２６】
この金型３１を用いてダイレクトブロー成形を実施することにより、図９に示す様な小容量ボトル４１を製造することができる。即ち、図示の様に、口部４５と直接連通するリング状の収容部４２の内側が貫通孔４４となり、指輪の様な形状の小容量ボトル４１が製造される。
【００２７】
図１０は、実施例３の小容量ボトルの具体的な成形例にキャップを装着状態を示している。なお、背面図は正面図と対称に表れ、左側面図は右側面図と対称に表れる。
【実施例４】
【００２８】
図１１の金型５１は、金型３１とほぼ同じ構成であるが、収容部形成部５２の外周が花びら形状にされている。なお、５５は口形成部、５３は食い切り部５４と重なるコンプレッションゾーン形成部である。
【００２９】
図１２は、実施例４の小容量ボトルの具体的な成形例にキャップを装着状態を示している。なお、背面図は正面図と対称に表れ、左側面図は右側面図と対称に表れる。
【実施例５】
【００３０】
実施例６は、ペンダントとしたものである。図１３は、実施例１で具体的に成形した小容量ボトルの貫通孔にチェーンを装着してペンダントとしたものである。ペンダントとすることで、小容量ボトルであっても、紛失し難くなる。
【実施例６】
【００３１】
実施例７は、ストラップとしたものである。図１４は、実施例１，実施例２において具体的に成形した小容量ボトルの貫通孔にリング金具を介してつり下げ紐を装着してストラップとしたものである。ストラップとすることで、小容量ボトルであっても、紛失し難くなる。
【実施例７】
【００３２】
実施例８は、指輪としたものである。図１５は、実施例４において具体的に成形した小容量ボトルを指に装着した状態を示す。また、図１６に示す様に、キャップを種々に装飾されたものにすることで、より一層指輪として身に付けたいという気持ちを高めて紛失防止に役立たせることもできる。
【００３３】
以上、本発明の実施形態を説明したが、本発明はこれらの実施形態に限定されるものではなく、その要旨を逸脱しない範囲内で種々に実施することができる。
【産業上の利用可能性】
【００３４】
試供品等を提供するための小容量ボトル、小分けして持ち歩く携帯用の小容量ボトルとして利用することができ、単なる容器としての利用に留まらず、アクセサリとしての用途にも適するものである。
【符号の説明】
【００３５】
１・・・金型
２・・・収容部形成部
３・・・コンプレッションゾーン形成部
４・・・食い切り部
５・・・口形成部
６・・・通路空間形成部
１１・・・小容量ボトル
１２・・・収容部
１３・・・コンプレッションゾーン
１４・・・貫通孔
１５・・・口部
１６・・・通路空間
２１・・・金型
２２ａ〜２２ｅ・・・収容部形成部
２３・・・コンプレッションゾーン形成部
２４・・・食い切り部
２５・・・口形成部
３１・・・金型
３２・・・収容部形成部
３３・・・コンプレッションゾーン形成部
３４・・・食い切り部
３５・・・口形成部
４１・・・小容量ボトル
４２・・・収容部
４４・・・貫通孔
４５・・・口部
５１・・・金型
５２・・・収容部形成部
５３・・・コンプレッションゾーン形成部
５４・・・食い切り部
５５・・・口形成部
【図１】
2010201793.tif 000003
【図２】
2010201793.tif 000004
【図３】
2010201793.tif 000005
【図４】
2010201793.tif 000006
【図５】
2010201793.tif 000007
【図６】
2010201793.tif 000008
【図７】
2010201793.tif 000009
【図８】
2010201793.tif 000010
【図９】
2010201793.tif 000011
【図１０】
2010201793.tif 000012
【図１１】
2010201793.tif 000013
【図１２】
2010201793.tif 000014
【図１３】
2010201793.tif 000015
【図１４】
2010201793.tif 000016
【図１５】
2010201793.tif 000017
【図１６】
2010201793.tif 000018
【図１７】
2010201793.tif 000019